(57)【要約】【課題】断熱材や外装板を強固に支えることができ、かつ断熱材と外装板との間に透湿防水シートを配置することができる外装板支持部材を提供する。【解決手段】外装板支持部材１０は、建物の構造躯体１１の外側に所定厚みの断熱材１２を保持するとともに、断熱材１２の外側に外装板１３を取り付けるために用いられる。外装板支持部材１０は、構造躯体１１に固定されるべき固定部１５と、固定部１５に支持されて断熱材１２の厚みに対応して構造躯体１１から離れる方向に突出し、かつ、断熱材１２を支持可能な断熱材支持部２０と、断熱材支持部２０の先端に設けられて外装板１３を支持する外装板支持部３０を有し、外装板支持部３０が断熱材支持部２０に対して着脱自在に構成されている。【選択図】  図１
2004324349.tif 000002
【特許請求の範囲】
【請求項１】
建物の構造躯体の外側に所定厚みの断熱材を保持するとともに、前記断熱材の外側に外装板を取り付けるために用いられる外装板支持部材であって、
前記構造躯体に固定されるべき固定部と、前記固定部に支持されて前記断熱材の厚みに対応して前記構造躯体から離れる方向に突出し、かつ、前記断熱材を支持可能な断熱材支持部と、前記断熱材支持部の先端に設けられて前記外装板を支持する外装板支持部とを有し、
前記外装板支持部が前記断熱材支持部に対して着脱自在であることを特徴とする外装板支持部材。
【発明の詳細な説明】
【０００１】
【発明の属する技術分野】
本発明は、建物の構造躯体に断熱材を取り付け、断熱材の外側に外装板を取り付けるために用いられる外装板支持部材に関する。
【０００２】
【従来の技術】
図７に示すように、建物１００の断熱性や防水性を高めるために、構造躯体に断熱材や透湿防水シートを備え、断熱材や透湿防水シートの外側に外装板１０１を取り付ける。
構造躯体に断熱材を備える方法としては、構造躯体内に断熱材を備える内断熱タイプや、構造躯体の外側に断熱材を備える外断熱タイプが知られている。
【０００３】
例えば、外断熱形態は、図８〜図９に示すように、構造躯体としての柱１０２を一定間隔をおいて配置し、それぞれの柱１０２間に間柱１０３を配置し、各柱１０２および各間柱１０３の室内側に石膏ボード１０４を取り付け、各柱１０２および各間１０３柱の屋外側に横桟１０５を上下方向に一定間隔をおいて配置し、各横桟１０５を各柱１０２および各間柱１０３に釘１０６で打ち付けることで、各柱１０２、各間柱１０３および各横桟１０５を井桁に組んだものである。
【０００４】
横桟１０５に断熱材１０７（図９参照）を載せることで、各柱１０２、各間柱１０３および各横桟１０５で井桁に組んだ空間に断熱材１０７を設ける。
さらに、横桟１０５の屋外側に透湿防水シート１０８（図８参照）を張り、透湿防水シート１０８の外側に胴縁１０９を所定間隔を置いて配置し、各胴縁１０９を釘１１０で打ち付けることで、各胴縁１０９を横桟１０５に取り付ける。
【０００５】
各胴縁１０９の屋外側に外装板支持部１１１（図８参照）を取り付けた後、外装板支持部１１１に外装板１１２（図８参照）を取り付ける。
これにより、構造躯体の外側に断熱材１０７や透湿防水シート１０８を備え、断熱材１０７や透湿防水シート１０８の外側に外装板１１２を取り付ける。
【０００６】
しかし、外断熱タイプの外装板支持構造は、図１０に示すように、各柱１０２に横桟１０５を釘１０６で打ちつけ、各横桟１０５に胴縁１０９を釘１１０で打ちつけ、胴縁１０９に外装板支持部１１１を釘１１３で打ちつけた後、外装板支持部１１１に外装板１１２を取り付ける。
【０００７】
しかし、横桟１０５は比較的大きく、この大きな横桟１０５を柱１０２や間柱１０３に釘１０６だけで固定することは施工上問題がある。
加えて、この釘１０６には外装板１１２の重量もかかることになり、強度的に改良の余地が残されていた。
【０００８】
この不具合を解消するために、断熱材と外装板とを支える支持部材を一体に形成することで横桟１０５を不要にできる構造物が提案されている（例えば、特許文献１参照）。
【０００９】
【特許文献１】
実開２００３−７４１３２号公報（第２頁、図２）
【００１０】
上記公報の技術を図１１で説明する。すなわち、支持部材１２０は、柱１２１にボルト１２２で固定する基板１２３から支持板１２４が延出され、この支持板１２４の表裏面に係止片１２５が立設され、この係止片１２５から一定間隔を隔てて一対の位置決め用係止片１２６，１２７が立設されている。
【００１１】
支持板１２４で断熱材１２９を支え、一対の位置決め用係止片１２６，１２７で外装板１３０を支える。
支持部材１２０で、断熱材１２９と外装板１３０とを支えることで、図８〜図９に示す横桟１０５を不要にできるので、断熱材１２９と外装板１３０とを柱１２１に強固に取り付けることができる。
【００１２】
【発明が解決しようとする課題】
しかし、支持部材１２０は断熱材１２９を取り付ける支持板１２４と、外装板１３０を取り付ける一対の位置決め用係止片１２６，１２７とが一体に形成されている。
このため、断熱材１２９と外装板１３０との間に透湿防水シートを配置することができない。
透湿防水シートは構造躯体や断熱材１０７を雨水から保護する役割があり、建物の耐久性を高める上で重要なものである。このため、構造躯体や断熱材１０７の外側に透湿防水シートを備えることができる支持部材の実用化が望まれていた。
【００１３】
本発明は、断熱材や外装板を強固に支えることができ、かつ断熱材と外装板との間に透湿防水シートを配置することができる外装板支持部材を提供することにある。
【００１４】
【課題を解決するための手段】
前述した目的を達成するために、本発明の外装板支持部材は、請求項１に記載したように、建物の構造躯体の外側に所定厚みの断熱材を保持するとともに、前記断熱材の外側に外装板を取り付けるために用いられる外装板支持部材であって、前記構造躯体に固定されるべき固定部と、前記固定部に支持されて前記断熱材の厚みに対応して前記構造躯体から離れる方向に突出し、かつ、前記断熱材を支持可能な断熱材支持部と、前記断熱材支持部の先端に設けられて前記外装板を支持する外装板支持部とを有し、前記外装板支持部が前記断熱材支持部に対して着脱自在であることを特徴とする。
【００１５】
このように構成された外装板支持部材においては、構造躯体に固定部を固定し、固定部に断熱材支持部を支持し、断熱材支持部の先端に外装板支持部を有する。そして、外装板支持部は断熱材支持部に対して着脱自在に構成されている。
よって、外装板支持部を断熱材支持部から切り離すことで、断熱材支持部と外装板支持部との間に透湿防水シートを配置することが可能になる。また、熱橋対策としての断熱材を挟むことも可能となる。
加えて、断熱材支持部で断熱材を保持することができるので、断熱材や外装板を強固に支えることが可能になる。
【００１６】
【発明の実施の形態】
以下、本発明に係る実施形態を図面に基づいて詳細に説明する。なお、以下に説明する各実施形態において、既に図１〜図２において説明した部材等については、図中に同一符号あるいは相当符号を付すことにより説明を簡略化しあるいは省略する。
【００１７】
図１〜図２に示すように第１実施形態の外装板支持部材１０は、建物の柱（構造躯体）１１の外側に所定厚みの断熱材１２（図３参照）を保持するとともに、断熱材１２の外側に外装板１３（図３参照）を取り付けるために用いられる。
【００１８】
この外装板支持部材１０は、構造躯体としての柱１１に固定されるべき固定部１５と、固定部１５に支持されて断熱材１２の厚みに対応して構造躯体１１から離れる方向に突出し、かつ、断熱材１２を支持可能な断熱材支持部２０と、断熱材支持部２０の先端に設けられて外装板１３を支持する外装板支持部３０とを有し、外装板支持部３０が断熱材支持部２０に対して着脱自在に構成されている。
【００１９】
固定部１５は、略く字状に形成した断熱材支持部２０の基端２０Ａにおいて、一方に向けて９０度折り曲げられた上固定片１６と、断熱材支持部２０の基端２０Ａで他方に向けて９０度折り曲げられた下固定片１７とからなる。
上下の固定片１６，１７には上下のボルト１８，１９が貫通する取付孔１６Ａ，１７Ａがそれぞれ形成されている。
【００２０】
断熱材支持部２０は、構造躯体１１に沿って上方向に延出する基部２１（すなわち、鉛直延出部）と、構造躯体１１に対して直交する方向に延出する水平延出部２２とで略く字状に形成され、基部２１から水平延長部２２に渡って補強用の凹みリブ２３を形成したものである。
【００２１】
加えて、この断熱材支持部２０は、水平延出部２２の基部２１側の下片２４を一方に向けて９０度折り曲げるとともに、折り曲げた下片２４の先端部２４Ａを上方に向けて９０度折り曲げて略Ｌ形に形成し、水平延出部２２の先端部を一方に向けて９０度折り曲げて一方の取付片２５を形成し、この一方の取付片２５に取付孔２５Ａを形成し、水平延出部２２の先端側の下片２６を他方に向けて９０度折り曲げるとともに、下片２６の先端部を上方に向けて９０度折り曲げて他方の取付片２７を形成し、この他方の取付片２７に取付孔２７Ａを形成したものである。
【００２２】
これにより、固定部１５および断熱材支持部２０を一枚の鋼板を折り曲げるプレス成形が可能になり、固定部１５および断熱材支持部２０の生産性を高めることができる。
【００２３】
外装板支持部３０は、略矩形状の基板３１を有し、この基板３２の下片３２を断熱材支持部２０から離れる方向に９０度折り曲げ、この下片３２の左右の端部から斜め上方に延びる一対の上向き係止片３３を形成し、一対の上向き係止片３３間に斜め下方に延びる下向き係止片３４を形成し、基板３１に一対の取付孔３１Ａ，３１Ｂが形成されている。
【００２４】
このように、一枚の鋼板を折り曲げて、外装板支持部３０を形成することで、外装板支持部３０を一枚の鋼板からプレス成形することが可能になり、外装板支持部３０の生産性を高めることができる。
【００２５】
基板３１に設けた一方の取付孔３１Ａと、一方の取付片２５に設けた取付孔２５Ａとに一方のボルト３６を差し込み、一方の取付片２５から突出したねじ部３６Ａにナット３８をねじ結合する。
さらに、基板３１に設けた他方の取付孔３１Ｂおよび他方の取付片２７に設けた取付孔２７Ａに、他方のボルト３７を差し込み、他方の取付片２７から突出したねじ部３７Ａにナット３９をねじ結合する。
これにより、一対の取付片２５，２７に外装板支持部３０を取り付けて、外装板支持部３０と断熱材支持部２０とを一体化できる。
【００２６】
また、固定部１５を構成する上固定片１６の取付孔１６Ａに上ボルト１８を差し込み、上固定片１６から突出したネジ部１８Ａを構造躯体１１にねじ込む。
さらに、固定部１５を構成する下固定片１７の取付孔１７Ａに下ボルト１９を差し込み、下固定片１７から突出したネジ部１９Ａを構造躯体１１にねじ込む。
これにより、固定部１５を構造躯体１１に取り付けて、固定部１５、断熱材支持部２０および外装板支持部３０を一体に構造躯体１１に取り付けることができる。
【００２７】
次に、図３〜図４に基づいて外装板支持部材１０の組付工程について説明する。
まず、図１に示す固定部（上下の固定片１６，１７）１５を構造躯体１１に当接し、上固定片１６の取付孔１６Ａに上ボルト１８を差し込んで構造躯体１１にねじ込む。さらに、下固定片１７の取付孔１７Ａに下ボルト１９を差し込んで構造躯体１１にねじ込む。
これにより、固定部１５および断熱材支持部２０が一体的に構造躯体１１に取り付けられる。
【００２８】
この状態で、図４（Ａ）に示すように、ボード状の断熱材１２を断熱材支持部２０に向けて矢印のように下降させる。図４（Ｂ）に示すように、断熱材１２に断熱材支持部２０で切込み１２Ａを形成することにより、断熱材１２の下端を一方の下片２４（図１参照）および他方の下片２６（図２参照）に当接する。
これにより、断熱材支持部２０への、ボード状の断熱材１２の取付作業が完了する。
このように、断熱材１２の下端を断熱材支持部の一方の下片２４と他方の下片２６に載せることで、断熱材１２を手間をかけないで簡単に取り付けることができる。
【００２９】
断熱材１２を取り付けた後、断熱材１２の外面に沿って透湿防水シート４１を配置する。
次に、図１に示す基板３１に設けた一方の取付孔３１Ａと、一方の取付片２５に設けた取付孔２５Ａとに、一方のボルト３６を差し込み、一方の取付片２５から突出したねじ部３６Ａにナット３８をねじ結合する。
【００３０】
さらに、基板３１に設けた他方の取付孔３１Ｂおよび他方の取付片２７に設けた取付孔２７Ａに、他方のボルト３７を差し込み、他方の取付片２７から突出したねじ部３７Ａにナット３９をねじ結合する。
これにより、断熱材支持部２０の一対の取付片２５，２７と外装板支持部３０との間に透湿防水シート４１を配置した状態で、一対の取付片２５，２７に外装板支持部３０を取り付けて、外装板支持部３０と断熱材支持部２０とを一体化できる。
【００３１】
ここで、外装板支持部材１０の組付工程は、従来と同様に、断熱材１２と外装板１３とを交互に下側から順に組み付けることが可能である。
さらには、外装板支持部材１０を使用することで、まず構造躯体１１の全面に断熱材１２を取り付け、必要に応じて断熱材ジョイント部を防火テープで塞ぎ、その後、複数の断熱材１２の全面に渡って透湿防水シート４１を張り渡し、ついで透湿防水シート４１の外側に外装板１３を取り付けるという組付工程も可能である。
【００３２】
第１実施形態によれば、構造躯体１１に固定部１５を固定し、固定部１５に断熱材支持部２０を支持し、断熱材支持部２０の先端に外装板支持部３０を着脱自在に取り付ける。
よって、外装板支持部３０を断熱材支持部２０から切り離すことで、断熱材支持部２０と外装板支持部３０との間に透湿防水シート４１を配置できる。
【００３３】
断熱材支持部２０と外装板支持部３０との間に透湿防水シート４１を配置した後、断熱材支持部２０に外装板支持部３０を取り付ける。これにより、外装板支持部材１０を一体化できる。
そして、断熱材支持部２０で断熱材１２を保持することができるので、断熱材１２や外装板１３を強固に支えることができる。
【００３４】
次に、第２〜第３実施形態を図５〜図６に基づいて説明する。
図５に示すように、第２実施形態の外装板支持部材５０は、断熱材支持部２０と外装板支持部３０との間に断熱材５１を設けたものである。
すなわち、外装板支持部材５０は、第１実施形態の外装板支持部材１０と同様に、外装板支持部３０が断熱材支持部２０に対して着脱自在に構成されている。
【００３５】
よって、断熱材支持部２０から外装板支持部３０を外して、断熱材支持部２０と外装板支持部３０との間に熱橋対策用の断熱材５１を配置し、ボルト３６，３７とナット３８，３９とで断熱材支持部２０に外装板支持部３０を取り付けることで、断熱材支持部２０と外装板支持部３０との間に断熱材５１を設けることができる。
【００３６】
第２実施形態の外装板支持部材５０によれば、第１実施形態と同様に、断熱材支持部２０に断熱材１２（図３参照）を設けるとともに、断熱材支持部２０と外装板支持部３０との間に断熱材５１を挟むことができ、熱橋低減対策とすることができる。
【００３７】
図６に示す第３実施形態は、本発明の外装板支持部材の外装板支持部と断熱材支持部とを分離して断熱材および外装板を支持する支持構造６０である。
この断熱材および外装板の支持構造６０は、構造躯体としての柱１１に固定されるべき固定部１５と、固定部１５に支持されて断熱材１２の厚みに対応して構造躯体１１から離れる方向に突出し、かつ、断熱材１２を支持可能な複数の断熱材支持部２０と、断熱材支持部２０の先端にボルト６２で取り付けられた木製あるいは鋼製の胴縁６１と、胴縁６１にボルト６３で取り付けられて外装板１３を支持する複数の外装板支持部３０とを有している。
【００３８】
前述した断熱材および外装板の支持構造６０は、各外装板支持部３０が胴縁６１に取り付けられているため、柱１１に対する各断熱材支持部２０の固定間隔と、胴縁６１に対する各外装板支持部３０の取付間隔とを互いに相違させることが可能となっている。
従って、この断熱材および外装板の支持構造６０によれば、断熱材支持部２０と外装板支持部３０との間に胴縁６１を介在させることにより、例えば外装板支持部３０の個数に対して断熱材支持部２０の個数を少なく抑えて、コストダウンを図ることが可能になる。
【００３９】
また、本発明は、前述した実施形態に限定されるものでなく、適宜な変形，改良等が可能であり、前述した実施形態において例示した構造躯体１１、断熱材１２、外装板１３、固定部１５、断熱材支持部２０、外装板支持部３０、透湿防水シート４１等の材質，形状，寸法，形態，数，配置個所，厚さ寸法等は本発明を達成できるものであれば任意であり、限定されない。
【００４０】
【発明の効果】
以上、説明したように、本発明の外装板支持部材によれば、請求項１に記載したように、構造躯体に固定部を固定し、固定部に断熱材支持部を支持し、断熱材支持部の先端に外装板支持部を有する。そして、外装板支持部は断熱材支持部に対して着脱自在に構成されている。
【００４１】
よって、外装板支持部を断熱材支持部から切り離すことで、断熱材支持部と外装板支持部との間に透湿防水シートを配置できる。
断熱材支持部で断熱材を保持することができるので、断熱材や外装板を強固に支えることができる。
また、断熱材支持部と外装板支持部との間に断熱材を挟むことにより熱橋の低減も可能になる。
【図面の簡単な説明】
【図１】本発明に係る外装板支持部材（第１実施形態）を示す右側斜視図である。
【図２】本発明に係る外装板支持部材（第１実施形態）を示す左側斜視図である。
【図３】本発明に係る外装板支持部材（第１実施形態）を取り付けた状態を示す断面図である。
【図４】本発明に係る外装板支持部材（第１実施形態）に断熱材を取り付ける例を説明した図である。
【図５】本発明に係る外装板支持部材（第２実施形態）を取り付けた状態を示す断面図である。
【図６】本発明に係る外装板支持部を分離して断熱材および外装板を支持する支持構造（第３実施形態）を示す断面図である。
【図７】従来の外装板支持部材を採用した建物を示す斜視図である。
【図８】図７のＡ−Ａ線断面図である。
【図９】従来の外装板支持部材を示す斜視図である。
【図１０】従来の外装板支持部材を示す断面図である。
【図１１】従来のもう一つの外装板支持部材を示す断面図である。
【符号の説明】
１０  外装板支持部材
１１  構造躯体
１２  断熱材
１３  外装板
１５  固定部
２０  断熱材支持部
３０  外装板支持部
【図１】
2004324349.tif 000003
【図２】
2004324349.tif 000004
【図３】
2004324349.tif 000005
【図４】
2004324349.tif 000006
【図５】
2004324349.tif 000007
【図６】
2004324349.tif 000008
【図７】
2004324349.tif 000009
【図８】
2004324349.tif 000010
【図９】
2004324349.tif 000011
【図１０】
2004324349.tif 000012
【図１１】
2004324349.tif 000013